(57)【特許請求の範囲】
【請求項１】
送風装置及び温風発生用ヒータを備えた本体と、本体の送風口側に着脱自在に連結されると共に本体より電気が供給されるスチーム発生機構と、スチーム発生機構にフック部により着脱自在に取り付けられる櫛部材とを備え、上記櫛部材着脱用のフック部と、スチーム発生機構に本体より電気を供給するための電気接続部とを同一箇所に近接配置すると共に、フック部と送風通路との間に電気接続部を保持する保持枠を介在させ、この保持枠は、フック部と送風通路とを熱的に遮断する形状を有し、保持枠の内端部が本体側にネジ止めされ、外端部側に電気接続部を保持固定するための貫通孔が設けられ、貫通孔よりも内側にプラグを覆う覆い片が垂下突設され、貫通孔よりも外側にフック部のバネ部を支持するバネ止め部が上方に突設されていることを特徴とするヘアーカール器。
【発明の詳細な説明】
【０００１】
【発明の属する技術分野】
この発明は、毛髪のセット等に用いられるヘアーカール器に関するものである。
【０００２】
【従来の技術】
従来から、この種のスチーム発生手段を備えたヘアーカール器として、毛髪が巻き付けられる部分の表面で且つスチーム発生部からのスチームもしくは温風が吐出される面から櫛部材が突設された構造が知られている。その一例として例えば特開平２−３０９９０４号公報には、図８及び図９に示すように、モータ５とファン６とから成る送風ブロック２及びヒータブロック７を有する本体１と、本体１の送風口８側の先端面に着脱自在に連結されるアタッチメント３とで構成し、このアタッチメント３が、本体１より電気が供給されるスチーム発生機構１８と、スチーム発生機構１８にフック部４４′により着脱自在に取り付けられる櫛部材１９とから成り、様々な形状の櫛部材１９がスチーム発生機構１８に対して取り付け自在となったヘアーカール器が開示されている。このアタッチメント３の基台１５には係合凹所４１が形成され、一方、本体１の先端には該係合凹所４１に係脱自在のフック４０が設けられ、本体１に対してアタッチメント３が着脱自在となっており、さらにアタッチメント３を本体１に取付けた状態で、スチーム発生機構１８のプラグ１０が本体１側の接続ジャック１１に電気的に接続され、本体１からの電気がプラグ１０と接続ジャック１１（電気接続部９）を介してスチーム発生機構１８に供給されるようになっている。尚図８中の１７はヒータパイプ、３０はタンク、３２は吸水体であり、また図９中の５′は電源コード、１３はスイッチである。
【０００３】
【発明が解決しようとする課題】
ところが、従来のヘアーカール器では、アタッチメント３の基台１５において櫛部材着脱用のフック部４４′と、スチーム発生機構１８に本体１より電気を供給するための電気接続部９（プラグ１０，接続ジャック１１）とが夫々独立して設けられているため、その分だけ送風面積が狭くなり、アタッチメント３側への温風（冷風）が妨げられ、送風の圧力損失が増加して送風効率が低下するという不都合があった。
【０００４】
本発明は、上記点に鑑みてなされたもので、大きな送風面積を確保して送風効率を向上させることができるヘアーカール器を提供することを課題とし、さらにフック部の操作時に操作部が熱くなるという現象を防止でき、使い勝手が良好なヘアーカール器を提供することを課題とする。
【０００５】
【課題を解決するための手段】
上記課題を解決するために、本発明は、送風装置２及び温風発生用ヒータを備えた本体１と、本体１の送風口８に着脱自在に連結されると共に本体１より電気が供給されるスチーム発生機構１８と、スチーム発生機構１８にフック部４４により着脱自在に取り付けられる櫛部材１９とを備え、上記櫛部材着脱用のフック部４４と、スチーム発生機構１８に本体１より電気を供給するための電気接続部９とを同一箇所に近接配置すると共に、フック部４４と送風通路５１との間に電気接続部９を保持する保持枠５０を介在させ、この保持枠５０は、フック部４４と送風通路５１とを熱的に遮断する形状を有し、保持枠５０の内端部が本体１側にネジ止めされ、外端部側に電気接続部９を保持固定するための貫通孔５５が設けられ、貫通孔５５よりも内側にプラグ１０を覆う覆い片５６が垂下突設され、貫通孔５５よりも外側にフック部４４のバネ部を支持するバネ止め部４７が上方に突設されていることを特徴としており、このように構成することで、スチーム発生機構１８側への温風（冷風）が妨げられず、送風の圧力損失を低減できるようになる。またフック部４４と送風通路５１との間に電気接続部９を保持する保持枠５０を介在させたので、フック部４４と送風通路５１とが保持枠５０によって熱的に遮断され、温風でフック部４４が熱せられるのを効果的に防止できるようになる。
【０００７】
【発明の実施の形態】
以下、本発明の実施形態を説明する。
本実施形態のヘアーカール器は、図４及び図５に示すように、温風乃至冷風を送るための送風装置２が設けられている本体１と、この本体１の先端部に着脱自在に取り付けられるアタッチメント３とを備えている。
【０００８】
先ず、本体１は、図５に示すように、グリップ部を兼ねることができる略円筒状のハウジング４の電源コード５′の引き出し側である後部内に、モータ５及びこれで駆動されるファン６から成る送風装置２を収容すると共にハウジング４の前部内に送風ヒータブロック７を配置したもので、ハウジング４の先端面には網体（図示せず）が取り付けられた送風口８が開口すると共に接続ジャック１１が配設されている。上記送風装置２は、本体１の後端部に形成された吸入口１２から取り入れた空気を送風口８から吐出するものであり、送風ヒータブロック７に通電されている時には、送風口８から温風を吐出する。図中の１３，１４はスイッチである。
【０００９】
アタッチメント３は、図４に示すように、本体１の上記送風口８が設けられた先端部に着脱自在に連結される基台１５と、基台１５によって一端が支持される円筒状のパイプ１６と、パイプ１６内に配置されるスチーム発生機構１８を構成する加熱手段１８ａと、パイプ１６外周に着脱自在に被せられる櫛部材１９と、パイプ１６の本体１側と反対側の端部に着脱自在に取り付けられる液体供給手段２０とで構成されており、上記櫛部材１９には、アイロン型の毛髪巻き付け部材１９ａが付設されている。
【００１０】
上記加熱手段１８ａは、上記円筒状のパイプ１６内に配設されて、液体供給手段２０から供給される液体（水）を加熱してスチーム化するもので、図６に示すように、熱良導体からなるヒータパイプ１７内にヒータ２１を配置して構成される。ここでヒータパイプ１７は、先端部がくさび状に、後端部が円筒状に形成された中空形状のもので、ヒータパイプ１７におけるくさび部内に収納されたヒータ２１は、両面が開口している保持部材２２と、正特性サーミスタからなる発熱部材２３と、発熱部材２３の両面に夫々接する一対の電極板２４と、一対のアルミナのような熱良導体からなるくさび型絶縁板２５とから構成されており、保持部材２２内に収めた発熱部材２３を両電極板２４と両絶縁板２５とによって挟んだ状態でヒータパイプ１７内に押し込まれている。
【００１１】
また、前記加熱手段１８ａに液体を供給する液体供給手段２０は、図７に示すように、タンク３０と、このタンク３０における開口部に着脱自在とされた保持筒３１と、この保持筒３１によって保持された吸水体３２とから構成される。タンク３０には内圧調整用の弁３３（図１）が設けられられており、パイプ１６の先端開口内に保持筒３１を差し込んだ時、一端をタンク３０内に位置させている吸水体３２の他端が加熱手段１８ａにおけるヒータパイプ１７のくさび型部分の外面に接触するものであり、これによって、タンク３０内の液体がヒータパイプ１７の外面に導かれるものである。また、ヒータパイプ１７に接触する吸水体３２の端部外面を保持している保持筒３１は、吸水体３２の外面を外部に露出させることによる切り欠き３４を備えており、吸水体３２に含まれた水分が加熱されてスチームとなる時に、切り欠き３４を通じてスチームが出ていくために、保持筒３１はスチーム発生の邪魔にならないものである。
【００１２】
一方、アタッチメント３の基台１５は、図１に示すように、本体１の先端部に被せられ、本体１側に設けたフック４０が着脱自在に係合する係合凹所４１が内面側に形成された大径部１５ａと、パイプ１６が連結される小径部１５ｂとを備えており、大径部１５ａと小径部１５ｂとの間が本体１の送風口８から吐出される風の通路となっているもので、基台１５には櫛部材１９に設けられる係合孔４２に着脱自在に係止する係合フック４３を備えたフック部４４と、上記接続ジャック１１に差し込み接続されるプラグ１０とが設けられ、このプラグ１０と接続ジャック１１とで、本体１から加熱手段１８ａに電気を供給するための電気接続部９が構成されている。
【００１３】
ここで、櫛部材１９を係止するためのフック部４４は、基台１５の内部に配設され、下部には基台１５の大径部１５ａの先端から外部に露出する操作部４５が設けられ、この操作部４５の上部には小径部１５ｂの内側に向けて略Ｌ字状に突出する係合フック４３が連設され、係合フック４３の先端が小径部１５ｂに設けた開口部４６より外部に突出している。また、操作部４５の背面には操作部４５を外側に向けてバネ付勢するバネ４６が配置されており、一端が操作部４５の背面に支持されたバネ４６の他端は後述の保持枠５０に設けたバネ止め部４７にて支持されている。そして、操作部４５をバネ力に抗して基台１５の軸方向と垂直な方向（図１の矢印ａで示す）に押し込むことにより、係合フック４３が開口部４６内に押し込まれ、また操作部４５の押し込みを解除することで、操作部４５はバネ力で突出位置に復帰して、係合フック４３が櫛部材１９に設けた係合孔４２（図４）に係止できる構造となっている。
【００１４】
また、前記接続ジャック１１に差し込み接続されるプラグ１０は、基台１５に固定される保持枠５０に保持される。この保持枠５０は、図１〜図３に示すように、送風通路５１に面して配置されており、送風面積を多くとることができるように小寸の平面視略矩形状に形成されており、且つ、温風時におけるフック部４４の加熱を防止するために、保持枠５０はフック部４４全体を送風通路５１と熱的に遮断する形状を有している。この保持枠５０の内端部に基台１５の小径部１５ｂの中央に設けたネジ孔５２にネジ５３にて固定されるネジ止め部５４が設けられ、外端部側には前記加熱手段１８ａのプラグ１０を通して保持固定するための貫通孔５５が設けられている。また保持枠５０の貫通孔５５よりも内側にはプラグ１０を覆う位置に覆い片５６が垂下突設されており、また貫通孔５５よりも外側には、貫通孔５５に近接して前記フック部４４のバネ４６の他端を支持するバネ止め部４７が上方に突設されており、これにより貫通孔５５によるプラグ１０の固定保持と、バネ止め部４７によるバネ４６の固定とを同一箇所に近接配置できる構造となっている。さらに保持枠５０のバネ止め部４７の下部には、フック部４４の操作部４５の下部をスライド支持可能なガイド片６０が突設されている。
【００１５】
次に、本体１にアタッチメント３を連結した状態で送風装置２を作動させると、風は基台１５の送風口８を通じて吐出される。ここで水が充填された液体供給手段２０を取り付けた状態で加熱手段１８ａに通電すれば、タンク３０から吸い出した水を保持している吸水体３２がヒータパイプ１７の外面に接触していることから、この接触部において水分が加熱されてスチームとなり、アタッチメント３におけるパイプ１６に設けたスチーム孔（図示せず）と、櫛部材１９に設けたスチーム孔（図示せず）を通じて外部に噴出する。
【００１６】
ここで、フック部４４の操作部４５を操作して係合フック４３を櫛部材１９の係合孔４２に着脱することによって、本実施形態のようなアイロン型の毛髪巻き付け部材１９ａが付設された櫛部材１９、或いはそれ以外の他の様々な形状の櫛部材を基台１５に取付けることができ、しかもこのフック部４４と、加熱手段１８ａに本体１より電気を供給するための電気接続部９（プラグ１０、接続ジャック１１）とは、保持枠５０の同一箇所に近接配置されているから、従来のようにフック部と電気接続部とが独立して夫々設けられている場合と比較して、送風面積を多くとることができ、従って、アタッチメント３側への温風（冷風）が妨げられず、送風の圧力損失を低減して送風効率を向上させることができるものである。
【００１７】
さらに、電気接続部９を保持する保持枠５０によりフック部４４と送風通路５１とを熱的に遮断するようにしたから、フック部４４は送風の流れに対し保持枠５０で遮断されることによって、温風発生時には温風がフック部４４に直接当たってフック部４４が熱せられるのを防止することができる。従って、フック部４４の操作時に操作部４５が熱くなるという現象を防止でき、安全に使用でき、使い勝手が良好となる。また、保持枠５０にはプラグ１０を覆う位置に覆い片５６を垂下突設させてあるので、電気接続部９もまた送風の流れから遮断されるようになり、温風による熱或いは風に含まれる埃等による電気接続部９への悪影響を防止できるという利点もある。
【００１８】
【発明の効果】
以上説明したように、請求項１の発明は、送風装置及び温風発生用ヒータを備えた本体と、本体の送風口に着脱自在に連結されると共に本体より電気が供給されるスチーム発生機構と、スチーム発生機構にフック部により着脱自在に取り付けられる櫛部材とを備え、上記櫛部材着脱用のフック部と、スチーム発生機構に本体より電気を供給するための電気接続部とを同一箇所に近接配置したことにより、送風面積を多くとることができるので、スチーム発生機構側への温風（冷風）が妨げられなくなり、従来のようにフック部と電気接続部とが独立して夫々設けた場合と比較して、送風の圧力損失を低減でき、送風効率を改善できる。また、フック部と送風通路との間に電気接続部を保持する保持枠を介在させ、この保持枠は、フック部と送風通路とを熱的に遮断する形状を有し、保持枠の内端部が本体側にネジ止めされ、外端部側に電気接続部を保持固定するための貫通孔が設けられ、貫通孔よりも内側にプラグを覆う覆い片が垂下突設され、貫通孔よりも外側にフック部のバネ部を支持するバネ止め部が上方に突設されているので、フック部が送風の流れに対し保持枠で熱的に遮断されることにより、温風発生時に温風がフック部に直接当たってフック部が熱せられるのを防止することができ、従って、フック部の操作時に操作部が熱くなるという現象を防止でき、使用の安全を確保できる。
【図面の簡単な説明】
【図１】本発明の実施形態の一例を示す断面図である。
【図２】同上のアタッチメントの基台の底面図である。
【図３】同上の基台とフック部と保持枠の分解断面図である。
【図４】同上のアタッチメントの断面図である。
【図５】同上の本体の断面図である。
【図６】同上の加熱手段の一部破断した側面図である。
【図７】同上の吸水体とタンクの分解斜視図である。
【図８】従来のアタッチメントの断面図である。
【図９】従来の本体の断面図である。
【符号の説明】
１  本体
２  送風装置
８  送風口
９  電気接続部
１８  スチーム発生機構
１９  櫛部材
４４  フック部
５１  送風通路
【図１】
0003584588.tif 000002
【図２】
0003584588.tif 000003
【図３】
0003584588.tif 000004
【図４】
0003584588.tif 000005
【図５】
0003584588.tif 000006
【図６】
0003584588.tif 000007
【図７】
0003584588.tif 000008
【図８】
0003584588.tif 000009
【図９】
0003584588.tif 000010